(57)【特許請求の範囲】
【請求項１】
実際に一つの収容空間に該当するキャビティが備えられるハウジングと、
前記キャビティ内で相互に所定間隔で配置され、相互の複合的なカップリングにより共振信号を発生する複数の共振アームと、
前記複数の共振アームを各々支持する複数の共振脚と、
を含むことを特徴とする多重モード共振器。
【請求項２】
前記複数は２の倍数であり、
前記キャビティの中心に設置される共振棒をさらに含むことを特徴とする請求項１に記載の多重モード共振器。
【請求項３】
前記複数の共振アームは、長手方向に長く形成された長方形であることを特徴とする請求項１に記載の多重モード共振器。
【請求項４】
前記複数の共振アームは、
任意の一対の長手方向の長さが他の一対の長手方向の長さと異なるように設定されることを特徴とする請求項３に記載の多重モード共振器。
【請求項５】
前記複数の共振アームのうちいずれか一対は板状であることを特徴とする請求項１に記載の多重モード共振器。
【請求項６】
前記複数の共振アームの全体配置構造の中心に電気的にフローティングされるように設置されるチューニング構造物をさらに含むことを特徴とする請求項１に記載の多重モード共振器。
【請求項７】
前記複数の共振アームの全体配置構造の中心部に、前記ハウジングの上端から貫通する方式で設置されるチューニングネジをさらに含むことを特徴とする請求項１に記載の多重モード共振器。
【請求項８】
前記複数の共振脚に連結され、前記複数の共振アームのうちいずれか一対の共振アームと入出力信号をやりとりする入力及び出力プローブをさらに含むことを特徴とする請求項１に記載の多重モード共振器。
【請求項９】
前記キャビティは多面体形状であることを特徴とする請求項１乃至８のいずれか１項に記載の多重モード共振器。
【請求項１０】
前記複数の共振アームは等間隔で配置されることを特徴とする請求項１乃至８のいずれか１項に記載の多重モード共振器。
【請求項１１】
前記複数の共振アームは、各々対をなして相互に対向するように配列され、
各対は相互にクロスされるように配列されることを特徴とする請求項１乃至８のいずれか１項に記載の多重モード共振器。
【請求項１２】
前記複数の共振アームのうち少なくとも一つの少なくとも一部の縁部分は切削されることを特徴とする請求項１乃至８のいずれか１項に記載の多重モード共振器。
【請求項１３】
前記複数の共振アームの間には少なくとも一つの隔壁が設置されることを特徴とする請求項１乃至８のいずれか１項に記載の多重モード共振器。
【請求項１４】
前記２の倍数は４であることを特徴とする請求項２に記載の多重モード共振器。
【請求項１５】
前記共振モードの個数は５であることを特徴とする請求項１４に記載の多重モード共振器。
【発明の詳細な説明】
【技術分野】
【０００１】
本発明は無線周波数フィルタを実現する共振器に関するものであって、より詳細には複数の共振モードの共振周波数を出力する多重モード共振器に関する。
【背景技術】
【０００２】
無線周波数フィルタのような無線周波数装置は、通常、複数の共振器の連結構造で構成される。このような共振器は、等価電子回路としてインダクタ(Ｌ)とキャパシタ(Ｃ)の組み合わせにより特定の周波数で共振する回路素子であって、各共振器は、導体で取り囲まれる金属性の円筒又は直六面体のようなキャビティ(cavity）の内部で誘電体共振素子(Dielectric  Resonance  element：ＤＲ)又は金属共振素子が設置される構造を有する。それによって、各共振器は、該当キャビティ内に処理周波数帯域による固有周波数の電磁場のみが存在するようにして、超高周波の共振を可能にする構造を有する。通常、複数のキャビティごとに一つの共振段を形成し、複数の共振段が順次に接続される多段構造を有する。
【０００３】
図１は、従来の６ポール(pole)型帯域通過(bandpass)フィルタ１０の一例を示す。図１を参照すると、従来の一実施形態において、帯域通過フィルタ１０は、六面体の金属内部に所定の間隔で区画された、例えば、６個のキャビティを有するハウジング１１０を含み、各々のキャビティ内には８個の高いＱ値を有する誘電体又は金属共振素子１２２を保持用サポートを用いて固定させる構造からなる。さらに、帯域通過フィルタ１０は、ハウジング１１０の一側面に装着された入出力コネクタ１１１，１１３と、ハウジング１１０の開放面を遮蔽する蓋(cover)１６０を含む。ここで、ハウジング１１０の各キャビティは、それぞれの共振器間のカップリング量を調整するために所定サイズのウィンドウ１３１-１３５が形成された隔壁１３０により区分され、ハウジング１１０の内面は、電気的性能を安定化し、伝導性を最大にするために銀メッキ処理される。また、蓋１６０又はハウジング１１０を貫通してウィンドウ１３１-１３５内に挿入可能なカップリングネジ１７５は、カップリング量を微細調整するためにさらに備えられる。
【０００４】
各共振素子１２２は、底面で直立するように具備される保持用サポートにより支持され、チューニングネジ１７０は、周波数を調整するために蓋１６０を貫通してキャビティ内に挿入されるように各共振素子１２２の上面に設置され、これを調整して共振周波数に対する微細な調整を可能にする。
【０００５】
ハウジング１１０は、その一側に各々入出力コネクタ１１１，１１３を含み、これらは、各々入出力給電ライン(図示せず）に接続され、入力側給電ラインは、入力コネクタから入る信号を最初段の共振素子に配信し、出力側給電ラインは、最後段の共振素子からの信号を出力コネクタに配信する。
【０００６】
上記したようなキャビティ構造を有する無線周波数フィルタの一例が、本発明の出願人により先出願された韓国特許公開公報第１０-２００４-１０００８４号(名称“無線周波数フィルタ”、公開日：２００４年１２月２日、発明者：Ｊｏｎｇｋｙｕ  Ｐａｒｋ、Ｓａｎｇｓｉｋ  Ｐａｒｋ、及びＳｅｕｎｔａｅｋ  Ｊｅｏｎｇ）に開示されている。
【０００７】
しかしながら、従来の帯域通過フィルタ(又は帯域除去(rejection)フィルタ)において、複数のポールを有するフィルタの構成は、複数のキャビティと各共振素子１２２を結合するための結合手段が必須的に要求される。すなわち、従来のフィルタでは、一つの共振素子１２２が一つの共振モードのみを実現するので、複数のポールを有する多重モードフィルタを実現するためには複数の共振器を連結する構造が必要になる。その結果、多重モードフィルタを実現するために大きな空間が要求され、フィルタの大型化、重量化、及び製造コストの増加をもたらすという問題点があった。
【０００８】
このように、多重モード共振器構造を有するフィルタは、通信装備のうち最も大きな空間を占める装備の一つであり、このようなフィルタのサイズと重さを減少するために持続的で活発な研究がなされている。特に、最近移動通信市場ではより速い処理速度及び向上した品質に対応するために、各基地局は、小型(又は超小型)セルに進化する傾向にあるため、このような傾向に応じてフィルタの小型及び軽量化が一層重要に要求される。
【発明の概要】
【発明が解決しようとする課題】
【０００９】
したがって、上記した従来技術の問題点を解決するために、本発明の目的は、複数の同一モードの共振周波数を相互に良好に連結できる多重モード共振器を提供することにある。
【００１０】
本発明の他の目的は、小型化した多重モード共振器を提供することにある。
【００１１】
本発明のもう一つの目的は、軽量化した多重モード共振器を提供することにある。
【００１２】
また、本発明の目的は、製造コストを低減する多重モード共振器を提供することにある。
【課題を解決するための手段】
【００１３】
上記のような目的を達成するために、本発明の一態様によれば、実際に一つの収容空間に該当するキャビティが備えられるハウジングと、キャビティ内で相互に所定間隔で配置され、相互の複合的なカップリングにより共振信号を発生する複数の共振アームと、複数の共振アームを各々支持する複数の共振脚とを含む多重モード共振器が提供される。
【００１４】
上記では、キャビティの中心に設置される共振棒をさらに含む。
【００１５】
上記では、複数の共振アームの全体配置構造の中心に電気的にフローティングされるように設置されるチューニング構造物をさらに含む。
【００１６】
上記で、複数の共振脚に連結され、複数の共振アームのうちいずれか一対の共振アームと入出力信号をやりとりする入力及び出力プローブをさらに含む。
【００１７】
上記で、キャビティは多面体形状である。
【００１８】
上記で、複数の共振アームは等間隔で配置される。
【発明の効果】
【００１９】
本発明は、多重モード共振器が一つの共振器に複数のモードの共振周波数を提供することができる。これによって、本発明は、フィルタの小型化、軽量化、及び製造コストを低減する効果を有する。
【図面の簡単な説明】
【００２０】
【図１】従来の６ポール型帯域通過フィルタの一例を示す一部分解斜視図である。
【図２】本発明の第１の実施形態による帯域通過フィルタに該当する多重モード共振器の構造図である。
【図３Ａ】図２に示した共振器の多重モード共振特性を示す図である。
【図３Ｂ】図２に示した共振器の多重モード共振特性を示す図である。
【図３Ｃ】図２に示した共振器の多重モード共振特性を示す図である。
【図３Ｄ】図２に示した共振器の多重モード共振特性を示す図である。
【図３Ｅ】図２に示した共振器の多重モード共振特性を示す図である。
【図４】図２に示した共振器による周波数フィルタリング特性を示すグラフである。
【図５】本発明の第２の実施形態による帯域通過フィルタに該当する多重モード共振器の構造図である。
【図６】本発明の第３の実施形態による帯域通過フィルタに該当する多重モード共振器の構造図である。
【図７】本発明の第４の実施形態による帯域通過フィルタに該当する多重モード共振器の構造図である。
【図８】本発明の第５の実施形態による帯域通過フィルタに該当する多重モード共振器の構造図である。
【図９】本発明の第６の実施形態による帯域通過フィルタに該当する多重モード共振器の構造図である。
【図１０】本発明の第７の実施形態による帯域通過フィルタに該当する多重モード共振器の構造図である。
【図１１】本発明の第８の実施形態による帯域通過フィルタに該当する多重モード共振器の構造図である。
【図１２】図１１に示した共振器による周波数フィルタリング特性を示すグラフである。
【図１３】本発明の第９の実施形態による帯域通過フィルタに該当する多重モード共振器の構造図である。
【図１４Ａ】図１３に示した共振器の多重モード共振特性を示す図である。
【図１４Ｂ】図１３の共振器の多重モード共振特性を示す図である。
【図１４Ｃ】図１３の共振器の多重モード共振特性を示す図である。
【図１４Ｄ】図１３の共振器の多重モード共振特性を示す図である。
【図１４Ｅ】図１３の共振器の多重モード共振特性を示す図である。
【図１５】本発明の第１０の実施形態による帯域通過フィルタに該当する多重モード共振器の構造図である。
【図１６Ａ】図１５に示した共振器の多重モード共振特性を示す図である。
【図１６Ｂ】図１５に示した共振器の多重モード共振特性を示す図である。
【図１６Ｃ】図１５に示した共振器の多重モード共振特性を示す図である。
【図１６Ｄ】図１５に示した共振器の多重モード共振特性を示す図である。
【図１７】本発明の第１１の実施形態による帯域通過フィルタに該当する多重モード共振器の構造図である。
【図１８Ａ】図１７に示した共振器の多重モード共振特性を示す図である。
【図１８Ｂ】図１７に示した共振器の多重モード共振特性を示す図である。
【図１８Ｃ】図１７に示した共振器の多重モード共振特性を示す図である。
【図１８Ｄ】図１７に示した共振器の多重モード共振特性を示す図である。
【図１９】本発明の第１２の実施形態による帯域通過フィルタに該当する多重モード共振器の構造図である。
【図２０Ａ】図１９に示した共振器の多重モード共振特性を示す図である。
【図２０Ｂ】図１９に示した共振器の多重モード共振特性を示す図である。
【図２０Ｃ】図１９に示した共振器の多重モード共振特性を示す図である。
【図２０Ｄ】図１９に示した共振器の多重モード共振特性を示す図である。
【図２１】本発明の第１３の実施形態による帯域通過フィルタに該当する多重モード共振器の構造図である。
【図２２】図２１の共振器による周波数フィルタリング特性を示すグラフである。
【図２３】本発明の第１４の実施形態による帯域通過フィルタに該当する多重モード共振器の構造図である。
【図２４】図２３の共振器による周波数フィルタリング特性を示すグラフである。
【図２５】本発明の第１５の実施形態による帯域通過フィルタに該当する多重モード共振器の構造図である。
【図２６】図２５の共振器による周波数フィルタリング特性を示すグラフである。
【図２７】本発明の第１６の実施形態による帯域通過フィルタに該当する多重モード共振器の構造図である。
【図２８】図２７に示した共振器による周波数フィルタリング特性を示すグラフである。
【図２９】本発明の第１７の実施形態による帯域通過フィルタに該当する多重モード共振器の構造図である。
【図３０】図２９に示した共振器による周波数フィルタリング特性を示すグラフである。
【図３１】本発明の第１８の実施形態による帯域通過フィルタに該当する多重モード共振器の構造図である。
【図３２】図３０の共振器による周波数フィルタリング特性を示すグラフである。
【図３３】本発明の第１９の実施形態による帯域通過フィルタに該当する多重モード共振器の構造図である。
【図３４Ａ】図３３に示した共振器の多重モード共振特性を示す図である。
【図３４Ｂ】図３３に示した共振器の多重モード共振特性を示す図である。
【図３４Ｃ】図３３に示した共振器の多重モード共振特性を示す図である。
【図３４Ｄ】図３３に示した共振器の多重モード共振特性を示す図である。
【図３５】本発明の第２０の実施形態による帯域通過フィルタに該当する多重モード共振器の構造図である。
【図３６】図３５に示した共振器による周波数フィルタリング特性を示すグラフである。
【図３７】本発明の第２１の実施形態による帯域通過フィルタに該当する多重モード共振器の構造図である。
【図３８】図３７に示した共振器による周波数フィルタリング特性を示すグラフである。
【図３９】本発明の第２２の実施形態による帯域通過フィルタに該当する多重モード共振器の構造図である。
【図４０】図３９に示した共振器による周波数フィルタリング特性を示すグラフである。
【図４１】本発明の第２３の実施形態による帯域通過フィルタに該当する多重モード共振器の構造図である。
【図４２】図４１に示した共振器による周波数フィルタリング特性を示すグラフである。
【図４３】本発明の第２４の実施形態による帯域通過フィルタに該当する多重モード共振器の構造図である。
【図４４】図４３に示した共振器による周波数フィルタリング特性を示すグラフである。
【発明を実施するための形態】
【００２１】
以下、本発明の望ましい実施形態を添付の図面を参照して詳細に説明する。
【００２２】
次の説明において、具体的な構成及び構成要素のような特定詳細は、ただ本発明の実施形態の全般的な理解を助けるために提供されるだけである。したがって、本発明の範囲及び趣旨を逸脱することなく、以下に説明される本発明の様々な変形及び変更が可能であることは、当該技術分野における通常の知識を持つ者には明らかである。
【００２３】
本発明は、複数の共振モードを提供する多重共振モードフィルタを提案する。従来では、例えば、４個の共振モードを提供するために通常４個のキャビティと、各キャビティに一つずつの共振素子を具備することが一般的である。しかしながら、本発明による多重共振モードフィルタは、一つのキャビティで４個の共振モード(quadruple  mode)、又は５個の共振モードなどを提供することが可能である。
【００２４】
図２は、本発明の第１の実施形態による帯域通過フィルタに該当する多重モード共振器の構造図である。図２において、(ａ)は平面構造を、(ｂ)は一側面構造を、(ｃ)は透過斜視構造を、各々示す。図２に示す共振器は、通常のフィルタ構造のように、金属ハウジング(下蓋)により空間が形成されるキャビティ２００を含み、図２では、説明の便宜上、金属ハウジングの構造だけでなく、該当ハウジングの外部に形成される入出力コネクタに対する図示を省略する。
【００２５】
図２を参照すると、本発明の第１の実施形態による多重モード共振器は、ハウジング(図示せず）の内部に実際に一つの収容空間が形成される四角箱又は四角箱状に類似した形態のキャビティ２００を有する。キャビティ２００の構造は、上記のように四角箱状以外にも多角柱形状又は円柱形状などの多様な構造を有することができる。
【００２６】
キャビティ２００内には、相互に所定間隔で配置される複数の共振アーム(arm）が備えられる。複数の共振アームは、金属性材質で構成され、相互に等間隔で設置され得る。この場合、複数の共振アームは、各々対をなして対向するように配列され、各対は、相互にクロスされるように配列され得る。より詳細に説明すれば、図２の第１の実施形態のように、キャビティ２００内には、例えば、相互に隣接する共振アームは相互に直交する配置構造を有し、４個の共振アーム２１１，２１２，２１３，２１４は、各々分離されるように個別的に設置される。すなわち、４個の共振アーム２１１−２１４は、第１乃至第４の共振アーム２１１-２１４が全体的に‘＋’字状を有するように配置され、すなわち、４個の共振アーム２１１-２１４の全体配置構造の中心は、キャビティ２００の中心部に該当する。４個の共振アーム２１１-２１４は、各々長手方向に長く形成される直六面体の棒形状で構成できる。また、４個の共振アーム２１１-２１４は、各々キャビティ２００の底面(ハウジングの内部底面)から延長する(又は底面に固定するように設置される)、例えば金属性材質で構成可能な円柱形状の第１乃至第４の共振脚(leg)２２１，２２２，２２３，２２４により各々固定するように設置される。
【００２７】
さらに、図２に示す第１の実施形態において、４個の共振アーム２１１-２１４の全体配置構造の中心部、すなわち、キャビティ２００の中心部に従来のフィルタ構造で共振素子に類似した構造の共振棒２１５がさらに設置される。４個の共振アーム２１１-２１４と共振棒２１５は、相互に物理的に離隔されるように設置され、これら間の信号が相互に複合的にカップリングされるように相互に適切な離隔距離を有する。もちろん、この離隔距離の調整に従って相互に信号カップリングの量が調整される。このような４個の共振アーム２１１-２１４の全体構造は、従来の共振器が順次にカップリングされる構造とは異なり、４個の共振アーム２１１-２１４は、相互に複合的にカップリングされる。
【００２８】
上記した構造を有することによって、４個の共振アーム２１１-２１４と共振棒２１５の配置構造が該当キャビティ２００の中心部を中心として相互に直交する３つの軸、例えば、軸ｘ、ｙ、ｚ上に代入する場合、例えば、第１の共振アーム２１１及び第３の共振アーム２１３はｘ軸上に配置され、第２の共振アーム２１２及び第４の共振アーム２１４はｙ軸上に配置され、共振棒２１５はｚ軸上に配置されると見なされる。
【００２９】
一方、入力コネクタ(図示せず)及び出力コネクタ(図示せず)は、各々ｘ軸及びｙ軸の一極に形成され、ｘ軸の一極に形成される入力コネクタと連結するための入力プローブ２３１及びｙ軸の一極に形成される出力コネクタと連結するための出力プローブ２２３が具備され、入力プローブ２３１と出力プローブ２３２は、複数の共振アーム２１１-２１４のうちいずれか一対の共振アームと入出力信号をやりとりするように構成される。図２の一実施形態では、入力プローブ２３１と出力プローブ２３２は、各々第３の共振脚２２３及び第２の共振脚２２２と直間接的に連結され、入出力信号を配信することによって、第３の共振アーム２１３及び第２の共振アーム２１２と入出力信号をやりとりするように構成される。
【００３０】
上記した構造を有する共振器の多重モード共振特性は、図３Ａ乃至図３Ｅに示す。図３Ａは、共振構造の全体組み合わせ(カップリング)により形成される第１の共振モードの磁界(又は電界)を示し、図３Ｂは、例えば第２及び第４の共振アーム２１２，２１４によりｙ軸の方向にドミナント(dominant)共振が形成される第２の共振モードの磁界(又は電界)を示し、図３Ｃは、例えば第１及び第３の共振アーム２１１，２１３によりｘ軸の方向にドミナント共振が形成される第３の共振モードの磁界(又は電界)を示し、図３Ｄは、第１乃至第４の共振アーム２１１-２１４の全体組み合わせにより形成される第４の共振モードの磁界(又は電界)を示し、図３Ｅは、例えば共振棒２１５によりｚ軸方向にドミナント共振が形成される第５の共振モードの磁界(又は電界)を示す。図３Ａ乃至図３Ｅの各々において、(ａ)はＥ-ｆｉｅｌｄ特性を示し、(ｂ)はＨ-ｆｉｅｌｄ特性を示す。図３Ａ乃至図３Ｅで、各矢印の方向は、各共振アームでの該当位置における電界又は磁界の方向を示し、各矢印のサイズは電界又は磁界の強さを示す。
【００３１】
図４は、図２の共振器による周波数フィルタリング特性の一例を示すグラフである。図４を参照すると、図３Ａ乃至図３Ｅに示すように、５個の多重モード特性に従って周波数フィルタリング特性が示されることがわかる。
【００３２】
このように、本発明の第１の実施形態による多重モード共振器は、一つのキャビティ２００で５個の共振モードを実現でき、このとき、本発明による構造の多重モード共振器は、同一のサイズの一般的な構造のＴＥＭ(Transverse Electric and Magnetic)モード共振器と比較する場合、Ｑ(Quality  factor)値が同一のサイズで約３０〜４０％改善された特性を有し、あるいは同一のＱ値を満たす場合には、共振器の物理的サイズは、一般的な構造に比べて約３０〜４０％縮小することができる。
【００３３】
一方、上記した本発明の第１の実施形態による構造において、第１乃至第４の共振アーム２１１-２１４の形態、長さ、及び幅の寸法変更と、第１乃至第４の共振脚２２１-２２４の長さ及び幅の寸法変更と、キャビティ２００の中心部を基準として第１乃至第４の共振脚２２１-２２４の配置距離の変更と、キャビティのサイズ及び高さの変更などを通じて、各々の共振モードの周波数が移動及び適切な周波数の共振モードの設定及び調整が可能になる。必要によって、４個又は３個の共振モードのみを有するように実現することも可能である。
【００３４】
図５は、本発明の第２の実施形態による帯域通過フィルタに該当する多重モード共振器の構造図である。図５において、(ａ)は平面構造を、(ｂ)は一側面構造を、(ｃ)は透過斜視構造を、各々示す。図５に示す本発明の第２の実施形態による共振器は、図２に示した第１の実施形態の構造と同様であり、四角箱状又はこれに類似した形態のキャビティ３００、キャビティ３００内で全体的に＋字状を有するように配置され、相互に直交する配置構造を有し、各々分離されるように個別的に設置される４個の共振アーム３１１，３１２，３１３，３１４、４個の共振アーム３１１-３１４を各々支持する第１乃至第４の共振脚３２１，３２２，３２３，３２４、４個の共振アーム３１１-３１４の全体配置構造の中心位置に設置される共振棒３１５、及び第３の共振脚３２３及び第２の共振脚３２２に各々連結されて入力及び出力プローブ３３１，３３２含む。
【００３５】
このような構造を有する第２の実施形態による共振器において、図２に示す第１の実施形態の構造とは異なり、図５でＡ部分のように、それぞれの長方形棒(bar)状の４個の共振アーム４１１-４１４の縁部のうち少なくとも一部が面取り(chamfering)などの加工を通じて切削された形態を持ち、このような構造変更によりカップリング強さのような特性が調整される。図５では、４個の共振アーム４１１-４１４の縁部のうち４個の縁が切削される例を示す。このように、共振アームの縁が面取りのように切削された構造の変化を通じて、相互にカップリング強さ又はノッチ(notch)の発生などを調整できる。
【００３６】
図６は、本発明の第３の実施形態による帯域通過フィルタに該当する多重モード共振器の構造図である。図６において、(ａ)は平面構造を、(ｂ)は一側面構造を、(ｃ)は透過斜視構造を、各々示す。図６に示す本発明の第３の実施形態による共振器は、図２に示した第１の実施形態の構造と同様に、キャビティ４００、４個の共振アーム４１１，４１２，４１３，４１４、第１乃至第４の共振脚４２１，４２２，４２３，４２４、及び共振棒４１５を含む。
【００３７】
このとき、本発明の第３の実施形態では第１の実施形態の構造とは異なり、入力コネクタ(図示せず)及び出力コネクタ(図示せず）は、各々ｘ軸の両極に形成され、ｘ軸の両極に形成される入力及び出力コネクタと連結するための入力及び出力プローブ５３１，５３２は、各々第３の共振脚４２３及び第１の共振脚４２１と直・間接的に連結して構成される。図６に示す第３の実施形態の構造を通じても十分に満足すべき５個の共振モードが形成される。
【００３８】
図７は、本発明の第４の実施形態による帯域通過フィルタに該当する多重モード共振器の構造図である。図７において、(ａ)は平面構造を、(ｂ)は一側面構造を、(ｃ)は透過斜視構造を、各々示す。図７に示す本発明の第４の実施形態による共振器は、図２に示した第１の実施形態の構造と同様に、キャビティ６００、４個の共振アーム６１１，６１２，６１３，６１４、第１乃至第４の共振脚６２１，６２２，６２３，６２４、共振棒６１５、及び入力及び出力プローブ６３１，６３２を含む。
【００３９】
本発明の第４の実施形態では、第１の実施形態の構造とは異なり、４個の共振アーム６１１-６１４の縁部のうち２個の縁が切削される状態であり、４個の共振アーム６１１，６１２，６１３，６１４が全体的に四角箱状のキャビティ６００内でＸ字状で配置される構造を有することができる。すなわち、図２の構造における４個のアームは、４５度回転した位置で配置されると見なされる。これによって、キャビティ６００の縁部に入力及び出力プローブ６３１，６３２が形成される。
【００４０】
特に、この場合、入力及び出力プローブ６３１，６３２は、図２に示した第１の実施形態において共振脚を通じて共振アームに信号を配信する構造とは異なり、第３の共振アーム６２３及び第２の共振アーム６２２に直ちに信号を配信する構造を有する。
【００４１】
図８は、本発明の第５の実施形態による帯域通過フィルタに該当する多重モード共振器の構造図である。図８において、(ａ)は平面構造を、(ｂ)は一側面構造を、(ｃ)は透過斜視構造を、各々示す。図８に示す本発明の第５の実施形態による共振器は、図２に示した第１の実施形態の構造と同様に、キャビティ７００、４個の共振アーム７１１，７１２，７１３，７１４、第１乃至第４の共振脚７２１，７２２，７２３，７２４、及び入力及び出力プローブ７３１，７３２を含む。
【００４２】
図８に示す第５の実施形態の構造では、第１の実施形態による構造から共振棒が除去された(すなわち、共振棒を具備しない)構造を有する。この構造は、４個の共振モードを実現するのに適合する。
【００４３】
図９は、本発明の第６の実施形態による帯域通過フィルタに該当する多重モード共振器の構造図である。図９において、(ａ)は平面構造を、(ｂ)は一側面構造を、(ｃ)は透過斜視構造を、各々示す。図９に示す本発明の第６の実施形態による共振器は、図８に示した第５の実施形態の構造と大部分同様に、キャビティ８００と、４個の共振アーム８１１，８１２，８１３，８１４と、第１乃至第４の共振脚８２１，８２２，８２３，８２４と、入力及び出力プローブ８３１，８３２を含む。
【００４４】
図９に示す第６の実施形態では、図８に示した第５の実施形態の構造に加えて、４個の共振アーム８１１-８１４の全体構造の中心部に、電気的にフローティングされるように設置され、４個の共振アーム８１１-８１４の間の信号カップリング及びこれによる共振モード間のカップリングの調整のために、例えば円柱状の金属性チューニング構造物８４１がさらに設置される。
【００４５】
このようなチューニング構造物８４１は、Ａｌ２Ｏ３及びテフロン（登録商標）のような材質の支持不在(図示せず)にキャビティ８００内でハウジング又はカバーの内部面、又は隣接した共振アームに固定及び支持されるように設置され得る。
【００４６】
図１０は、本発明の第７の実施形態による帯域通過フィルタに該当する多重モード共振器の構造図である。図１０において、(ａ)は平面構造を、(ｂ)は一側面構造を、(ｃ)は透過斜視構造を、各々示す。図１０に示す本発明の第７の実施形態による共振器は、図９に示した第６の実施形態の構造と大部分同様に、キャビティ９００、４個の共振アーム９１１，９１２，９１３，９１４、第１乃至第４の共振脚９２１，９２２，９２３，９２４、入力及び出力プローブ９３１，９３２、及びチューニング構造物９４１を含む。
【００４７】
このとき、図１０に示す第７の実施形態では、図９に示した第６の実施形態の構造とは異なり、４個の共振アーム９１１，９１２，９１３，９１４が全体的に四角箱状のキャビティ９００内でｘ字状に配置される構造を有する。その他にも、４個の共振アーム９１１，９１２，９１３，９１４は、全体的に長方形の形状でなく円柱形状を有することを示す。
【００４８】
図１１は、本発明の第８の実施形態による帯域通過フィルタに該当する多重モード共振器の構造図である。図１１において、(ａ)は透過斜視を、(ｂ)は平面構造を、(ｃ)は一側面構造を、各々示す。図１１に示す本発明の第８の実施形態による共振器は、図７に示した第４の実施形態の構造と同様に、キャビティ１０００、４個の共振アーム１０１１，１０１２，１０１３，１０１４、第１乃至第４の共振脚１０２１，１０２２，１０２３，１０２４、及び入力及び出力プローブ１０３１，１０３２を含む。
【００４９】
但し、図１１に示す第８の実施形態の構造では、図７に示した第４の実施形態の構造から共振棒が除去された(すなわち、共振棒を具備しない)構造を有する。このような構造は、４個の共振モードを実現するのに適合する。
【００５０】
図１２は、図１１の共振器による周波数フィルタリング特性の一例を示すグラフである。図１２を参照すると、図１１に示すような構造で、４個の多重モード特性によって周波数フィルタリング特性を有することがわかる。
【００５１】
図１３は、本発明の第９の実施形態による帯域通過フィルタに該当する多重モード共振器の構造図である。図１３において、(ａ)は透過斜視構造を、(ｂ)は平面構造を、(ｃ)は一側面構造を、各々示す。図１３に示す本発明の第９の実施形態による共振器は、図２に示した第１の実施形態の構造と同様に、キャビティ１１００、４個の共振アーム１１１１，１１１２，１１１３，１１１４、第１乃至第４の共振脚１１２１，１１２２，１１２３，１１２４、及び共振棒１１１５を具備できる。
【００５２】
図１３に示す本発明の第９の実施形態では、図２に示した第１の実施形態の構造とは異なり、４個の共振アーム１１１１，１１１２，１１１３，１１１４が全体的に四角箱状のキャビティ１１００内でＸ字状に配置される構造を有することができる。すなわち、図２の構造において、４個のアームは、４５度回転した位置に配置されると見なされる。これによって、キャビティ１１００の縁部に入力及び出力プローブ(図示せず)が形成され得る。
【００５３】
図１３に示す構造を有する共振器の多重モード共振特性は、図１４Ａ乃至図１４Ｅに示す。図１４Ａは、共振構造の全体組み合わせ(カップリング)により形成される第１の共振モードの磁界(又は電界)を示し、図１４Ｂは、例えば第２及び第４の共振アーム１１１２，１１１４により共振が形成される第２の共振モードの磁界(又は電界)を示し、図１４Ｃは、例えば第１及び第３の共振アーム１１１１，１１１３により形成される第３の共振モードの磁界(又は電界)を示し、図１４Ｄは、第１乃至第４の共振アーム１１１１-１１１４の全体組み合わせにより形成される第４の共振モードの磁界(又は電界)を示し、図１４Ｅは、共振棒１１１５により形成される第５の共振モードの磁界(又は電界)を示す。図１４Ａ乃至図１４Ｅで、各々の(ａ)はＥ-ｆｉｅｌｄ特性を示し、各々の(ｂ)はＨ-ｆｉｅｌｄ特性を示す。
【００５４】
図１５は、本発明の第１０の実施形態による帯域通過フィルタに該当する多重モード共振器の構造図である。図１５において、(ａ)は透過斜視を、(ｂ)は平面構造を、(ｃ)は一側面構造を、各々示す。図１５に示す本発明の第１０の実施形態による共振器は、図１３に示した第９の実施形態の構造と同様に、キャビティ１２００、４個の共振アーム１２１１，１２１２，１２１３，１２１４、第１乃至第４の共振脚１２２１，１２２２，１２２３，１２２４を含む。
【００５５】
但し、図１５に示す第１０の実施形態の構造では、図１５に示す第９の実施形態の構造から共振棒が除去された構造を有する。このような構造は、４個の共振モードを実現するのに適合する。
【００５６】
図１５に示す共振器の構造において、主要多重モード共振特性は、図１６Ａ乃至図１６Ｄに示すようである。図１６Ａ乃至図１６Ｄにおいて、各々の(ａ)はＥ-ｆｉｅｌｄ特性を示し、各々の(ｂ)はＨ-ｆｉｅｌｄ特性を示す。
【００５７】
図１７は、本発明の第１１の実施形態による帯域通過フィルタに該当する多重モード共振器の構造図である。図１７において、(ａ)は透過斜視を、(ｂ)は平面構造を、(ｃ)は一側面構造を、各々示す。図１７に示す本発明の第１１の実施形態による共振器は、図１５に示す第１０の実施形態の構造と同様に、キャビティ１３００、４個の共振アーム１３１１、１３１２，１３１３，１３１４、第１乃至第４の共振脚１３２１，１３２２，１３２３，１３２４を含む。
【００５８】
但し、図１７に示す第１１の実施形態の構造では、図１５に示す第１０の実施形態の構造に比べて、第１乃至第４の共振脚１３２１-１３２４が相互に最大限離隔されるように設置される。すなわち、第１乃至第４の共振脚１３２１-１３２４は、キャビティ１３００の中心部を基準として各々第１乃至第４の共振アーム１３１１-１３１４の外側部と結合されて該当共振アームを支持するように設置される。
【００５９】
このように、第１乃至第４の共振脚１３２１-１３２４が相互にさらに離隔されるように設置される場合、第１乃至第４の共振脚１３２１-１３２４の全体的な構造の直径が大きくなることに類似した影響が発生し、処理周波数帯域が調整される影響を発生する。
【００６０】
図１７に示す共振器の構造で主要多重モード共振特性は、図１８Ａ乃至図１８Ｄに示すようである。図１８Ａ乃至図１８Ｄで、(ａ)はＥ-ｆｉｅｌｄ特性を示し、(ｂ)はＨ-ｆｉｅｌｄ特性を示す。
【００６１】
図１９は、本発明の第１２の実施形態による帯域通過フィルタに該当する多重モード共振器の構造図である。図１９において、(ａ)は透過斜視を、(ｂ)は平面構造を、(ｃ)は一側面構造を、各々示す。図１９に示す本発明の第１２の実施形態による共振器は、図１７に示した第１１の実施形態の構造と同様に、キャビティ１４００、４個の共振アーム１４１１，１４１２，１４１３，１４１４、第１乃至第４の共振脚１４２１，１４２２，１４２３，１４２４を含む。
【００６２】
但し、図１９に示す第１２の実施形態の構造では、図１７に示す第１１の実施形態だけでなく、他の多様な実施形態の構造とは異なり、第１乃至第４の共振アーム１４１１-１４１４の長さが相互に同一でなく、例えば複数の共振アームのうちいずれか一対の長手方向の長さが他の一対の長手方向の長さと異なるように設定されるという点で主な差を有する。その他にも、第１乃至第４の共振脚１４２１-１４２４の直径、長さなどに差があるように設計できる。すなわち、例えば、図１９に示すように、第１及び第３の共振アーム１４１１，１４１３は、比較的長さが短く形成される。第２及び第４の共振アーム１４１２，１４１４は、比較的長さが長く形成され、相互に終端部がより近接されるようにする。このとき、第１乃至第４の共振アーム１４１１-１４１４間の対向する端部の間隔は、相互に同一に形成できる。
【００６３】
このような構成は、伝送零点(transmission  zero）の位置に変化を与えるためのものであって、上記のように構成する場合、例えば、第２及び第４の共振アーム１４１２，１４１４の間にカップリングされるフィールドの強さ及び方向に変化を与え、ノッチ(notch)ポイントを調整するようになる。
【００６４】
図１９に示す共振器の構造において、主要多重モード共振特性は、図２０Ａ乃至図２０Ｄに示すようである。図２０Ａ乃至図２０Ｄで、(ａ)はＥ-ｆｉｅｌｄ特性を示し、(ｂ)はＨ-ｆｉｅｌｄ特性を示す。
【００６５】
図２１は、本発明の第１３の実施形態による帯域通過フィルタに該当する多重モード共振器の構造図である。図２１において、(ａ)は透過斜視を、(ｂ)は平面構造を、(ｃ)は一側面構造を、各々示す。図２１に示す本発明の第１３の実施形態による共振器は、図１９に示した第１２の実施形態の構造と同様に、キャビティ１５００、４個の共振アーム１５１１，１５１２，１５１３，１５１４、第１乃至第４の共振脚１５２１，１５２２，１５２３，１５２４を含む。また、第１及び第３の共振アーム１５１１，１５１３は比較的長さが短く形成され、第２及び第４の共振アーム１５１２，１５１４は比較的長さが長く形成される。さらに、図２１では、第２及び第３の共振脚１５２２，１５２３と各々連結される入力及び出力プローブ１５３１，１５３２を示す。
【００６６】
図２１に示す第１３の実施形態では、図１９に示した第１２の実施形態とは異なり、第２及び第３の共振脚１５２２，１５２３の長さがより長く形成される。これは、第２及び第３の共振脚１５２２，１５２３により支持される第２及び第３の共振アーム１５１２，１５１３とキャビティ１５００の上面との距離を狭めることによって、該当キャパシタンス成分を大きくするためである。これによって、入力及び出力プローブ１５３１，１５３２と連結されるフィルタの入力及び出力側で適切なキャパシタ成分の調整が可能である。
【００６７】
さらに、第１３の実施形態では、Ａ部分又はＢ部分のように、入力及び出力側の間だけでなく適した位置に隔壁又はチューニングネジが追加に設置され得る。これは、各共振アームの間で攝動(perturbation）を起こすようになり、それによって伝送零点の位置、ノッチ形成などを調整できる。
【００６８】
図２２は、図２１の共振器による周波数フィルタリング特性の一例を示すグラフである。図２２を参照すると、４個の多重モード特性とともにノッチが形成される周波数フィルタリング特性を有することがわかる。
【００６９】
図２３は、本発明の第１４の実施形態による帯域通過フィルタに該当する多重モード共振器の構造図である。図２３において、(ａ)は透過斜視を、(ｂ)は平面構造を、(ｃ)は一側面構造を、各々示す。図２３に示す本発明の第１４の実施形態による共振器は、図２１に示す第１３の実施形態の構造が二重に形成された構造である。
【００７０】
すなわち、図２３に示す共振器の構造と同一の構造を有する第１の共振器１６-１及び第２の共振器１６-２が形成され、第１の共振器１６-１の出力側と第２の共振器１６-２の入力側がカップリングウィンドウ１６４０により相互に連結されるように構成できる。カップリングウィンドウ１６４０において、カップリング構造物１６４２は、カップリングがよくなされるように、キャビティの底面から延長される方式で追加に設置され得る。
【００７１】
図２４は、図２３の共振器による周波数フィルタリング特性の一例を示すグラフである。図２４を参照すれば、８段フィルタに該当する周波数フィルタリング特性を有することがわかる。
【００７２】
図２５は、本発明の第１５の実施形態による帯域通過フィルタに該当する多重モード共振器の構造図である。図２５において、(ａ)は透過斜視を、(ｂ)は平面構造を、(ｃ)は一側面構造を、各々示す。図２５に示す本発明の第１５の実施形態による共振器は、図２１に示した第１３の実施形態の構造と同様に、キャビティ１７００、４個の共振アーム１７１１，１７１２，１７１３、１７１４、第１乃至第４の共振脚１７２１，１７２２，１７２３，１７２４を含む。
【００７３】
但し、第１５の実施形態では、図２１に示す第１３の実施形態とは異なり、第１乃至第４の共振アーム１７１１-１７１４の長さが同一に形成され、４個の共振アーム１７１１-１７１４の全体構造の中心部に、電気的にフローティングされるように設置され、４個の共振アーム１７１１-１７１４間の信号カップリング及びこれによる共振モード間のカップリング調整のために、例えば円柱、又はディスク形状の金属性チューニング構造物１７４１がさらに設置される。このようなチューニング構造物１７４１は、該当チューニング構造物がない場合に比べてカップリング共振アーム間のカップリングがよくなされるようにし、それによってフィルタの全体的な帯域幅をより広くなるようにする。このような第１５の実施形態の共振器による周波数フィルタリング特性は、図２６に示すようである。
【００７４】
図２７は、本発明の第１６の実施形態による帯域通過フィルタに該当する多重モード共振器の構造図である。図２７において、(ａ)は透過斜視を、(ｂ)は平面構造を、(ｃ)は一側面構造を、各々示す。図２７に示す本発明の第１６の実施形態による共振器は、図２５に示す第１５の実施形態の構造と同様に、キャビティ１８００、４個の共振アーム１８１１，１８１２，１８１３，１８１４、第１乃至第４の共振脚１８２１，１８２２，１８２３，１８２４を含む。
【００７５】
但し、図２７に示す第１６の実施形態では、図２５に示す第１５の実施形態とは異なり、４個の共振アーム１８１１-１８１４の全体構造の中心部に、電気的にフローティングされるチューニング構造物を具備せず、ハウジング(図示せず）の上端で従来のようにカバーなどを貫通する方式で設置されるチューニングネジ１８４３を具備する。チューニングネジ１８４３を通じて４個の共振アーム１７１１-１７１４間の信号カップリング及びこれによる共振モード間のカップリング調整及び共振周波数チューニング作業を実行できる。このような第１６の実施形態の共振器による周波数フィルタリング特性は、図２８に示すようである。
【００７６】
図２９は、本発明の第１７の実施形態による帯域通過フィルタに該当する多重モード共振器の構造図である。図２９において、(ａ)は透過斜視を、(ｂ)は平面構造を、(ｃ)は一側面構造を、各々示す。図２９に示す本発明の第１７の実施形態による共振器は、図２７に示す第１６の実施形態の構造が二重に形成された構造である。
【００７７】
すなわち、図２９に示す第１７の実施形態による共振器は、図２７に示す共振器の構造と同一の構造を有する第１の共振器１９-１及び第２の共振器１９-２が形成され、第１の共振器１９-１の出力側と第２の共振器１９-２の入力側がカップリングウィンドウ１９４０により相互に連結されるように構成できる。カップリング構造物１９４２は、カップリングウィンドウ１９４０にカップリングがよくなされるように追加して設置される。このような第１７の実施形態の共振器による周波数フィルタリング特性は、図３０に示すようである。
【００７８】
図３１は、本発明の第１８の実施形態による帯域通過フィルタに該当する多重モード共振器の構造図である。図２９において、(ａ)は透過斜視を、(ｂ)は平面構造を、(ｃ)は一側面構造を、各々示す。図３１に示す本発明の第１８の実施形態による共振器は、図２９に示した第１７の実施形態の構造と同様に第１の共振器２０-１及び第２の共振器２０-２が結合された構造である。
【００７９】
但し、第１の共振器２０-１は、図２１に示すような第１３の実施形態と同一の構造を有し、第２の共振器２０-２は、図２７に示すような第１６の実施形態と同一の構造を有することができる。すなわち、第１の共振器２０-１と第２の共振器２０-２は、異なる構造を有する。このように、第１８の実施形態で示した構造以外にも、上記した実施形態による多様な構造の共振器が二重に結合されるように実現できる。図３２に、第１８の実施形態の共振器による周波数フィルタリング特性を示す。
【００８０】
図３３は、本発明の第１９の実施形態による帯域通過フィルタに該当する多重モード共振器の構造図である。図３３において、(ａ)は透過斜視を、(ｂ)は平面構造を、(ｃ)は一側面構造を、各々示す。図３３に示す本発明の第１９の実施形態による共振器は、上記した他の実施形態の構造のように、キャビティ２１００、４個の共振アーム２１１１，２１１２，２１１３，２１１４、及び第１乃至第４の共振脚２１２１，２１２２，２１２３，２１２４を含む。
【００８１】
但し、図３３に示す第１９の実施形態では、他の実施形態の構造とは異なり、少なくとも一対の共振アームは、板状を有するという点で主な差がある。例えば、図３３には、４個の共振アーム２１１１-２１１４がすべて比較的広い板状を有することが示されている。このとき、第１乃至第４の共振アーム２１１１-２１１４は、四角形の板状を有し、図３３の例では、第１乃至第４の共振アーム２１１１-２１１４の各々は、Ａ部分で示すように、少なくとも一つの縁部分が切削された形態を有することがある。また、Ｂ部分のように、両共振アームの間に隔壁がさらに設置され得る。
【００８２】
第１乃至第４の共振アーム２１１１-２１１４が広い板状を有することは、該当フィルタが比較的大きいサイズを有し、(また、これとともにキャビティが広い)低周波帯域に使用される場合に適用するために望ましい構造であって、共振アームとハウジングとの間のキャパシタンス成分を大きくするための構造である。この場合、各共振アーム間のカップリングが難しくなる問題を解決するために、上記のように、第１乃至第４の共振アーム２１１１-２１１４が四角形の板状を有するようにし、それによって相互にスムーズにカップリングされるように構成できる。また、上記において、第１乃至第４の共振アーム２１１１-２１１４は、各々一つの縁部が切削された形態を有し、これによって相互のカップリング強さ又はノッチの発生などが調整される。
【００８３】
図３３に示す共振器の構造で主な多重モード共振特性は、図３４Ａ乃至図３４Ｄに示すようである。図３４Ａ乃至図３４Ｄにおいて、(ａ)はＥ-ｆｉｅｌｄ特性を示し、(ｂ)はＨ-ｆｉｅｌｄ特性を示す。
【００８４】
図３５は、本発明の第２０の実施形態による帯域通過フィルタに該当する多重モード共振器の構造図である。図３５において、(ａ)は透過斜視を、(ｂ)は平面構造を、(ｃ)は一側面構造を、各々示す。図３５に示す本発明の第２０の実施形態による共振器は、図３３に示した第１９の実施形態による共振器の構造と同様に、キャビティ２２００、４個の共振アーム２２１１，２２１２，２２１３，２２１４、第１乃至第４の共振脚２２２１，２２２２，２２２３，２２２４を含む。
【００８５】
但し、図３５に示す第２０の実施形態では、図３３に示した第１９の実施形態とは異なり、４個の共振アーム２２１１-２２１４の全体構造の中心部に、ハウジング(図示せず）の上端でカバーを貫通する方式で設置されるチューニングネジ２２４３を具備する。図３６は、このような第２０の実施形態の共振器による周波数フィルタリング特性を示す。
【００８６】
図３７は、本発明の第２１の実施形態による帯域通過フィルタに該当する多重モード共振器の構造図である。図３７において、(ａ)は透過斜視を、(ｂ)は平面構造を、(ｃ)は一側面構造を、各々示す。図３５に示す本発明の第２１の実施形態による共振器は、図３３に示した第１９の実施形態による共振器の構造と同様に、キャビティ２３００、４個の共振アーム２３１１，２３１２，２３１３，２３１４、及び第１乃至第４の共振脚２３２１，２３２２，２３２３，２３２４を含む。
【００８７】
但し、図３７に示す第２１の実施形態では、４個の共振アーム２３１１-２３１４の形態で、図３３に示した第１９の実施形態と異なるように変形される。すなわち、図３７に示すように、第１及び第４の共振アーム２３１１，２３１４は、図３３に示す第１９の実施形態に比べて一部の縁部が切削されない正常な四角形の形態を有することができ、第２及び第３の共振アーム２３１２，２３１３で切削される部分も第１９の実施形態とは異なるように設計される。第２１の実施形態の共振器による周波数フィルタリング特性は、図３７に示すようである。
【００８８】
図３９は、本発明の第２２の実施形態による帯域通過フィルタに該当する多重モード共振器の構造図である。図３７において、(ａ)は透過斜視を、(ｂ)は平面構造を、(ｃ)は一側面構造を、各々示す。図３９に示す本発明の第２２の実施形態による共振器は、図３３に示した第１９の実施形態による共振器の構造と同様に、キャビティ２４００、４個の共振アーム２４１１，２４１２，２４１３，２４１４、及び第１乃至第４の共振脚２４２１，２４２２，２４２３，２４２４を含む。
【００８９】
但し、図３９に示す第２２の実施形態では、４個の共振アーム２４１１-２４１４の形態で図３３に示した第１９の実施形態と異なるように変形される。すなわち、図３９に示すように、第１及び第４の共振アーム２４１１、２４１４は、図３３に示す第１９の実施形態に比べて切削される縁部分が異なるように設計され、板状のサイズ及び厚さも異なるように設定される。さらに、４個の共振脚２４２１-２４２４の厚さも異なるように設計できる。第２２の実施形態の共振器による周波数フィルタリング特性は、図４０に示すようである。
【００９０】
図４１は、本発明の第２３の実施形態による帯域通過フィルタに該当する多重モード共振器の構造図である。図４１において、(ａ)は透過斜視を、(ｂ)は平面構造を、(ｃ)は一側面構造を、各々示す。図４１に示す本発明の第２３の実施形態による共振器は、上記した他の実施形態の構造のように、キャビティ２５００、４個の共振アーム２５１１，２５１２，２５１３，２５１４、第１乃至第４の共振脚２５２１，２５２２，２５２３，２５２４を含む。
【００９１】
このとき、図４１に示す第２３の実施形態では、４個の共振アーム２５１１-２５１４が図３３に示す第１９の実施形態と同様に比較的広い板状を持ち、特に、第１乃至第４の共振アーム２５１１-２５１４は、ディスク形態を持つことができる。このとき、第１乃至第４の共振アーム２５１１-２５１４は、各共振アーム間のカップリングが難しくなるという問題を解決するために、各々ディスク構造で４個の共振アーム２５１１-２５１４の全体構造の中心部に延長する適切な形状の延長構造物(図４１でＡで表示）が形成される。このような延長構造物により第１乃至第４の共振アーム２５１１-２５１４が電気的に相互近接するようになり、相互にスムーズにカップリングされ得る。
【００９２】
図４１の例では、これとともに、４個の共振アーム２５１１-２５１４の全体構造の中心部に、電気的にフローティングされるように設置されるチューニング構造物２５４１がさらに設置されることが示されている。図４２は、第２３の実施形態の共振器による周波数フィルタリング特性を示す。
【００９３】
図４３は、本発明の第２４の実施形態による帯域通過フィルタに該当する多重モード共振器の構造図である。図４３において、(ａ)は透過斜視を、(ｂ)は平面構造を、(ｃ)は一側面構造を、各々示す。図４３に示す本発明の第２４の実施形態による共振器は、例えば、図２７に示す第１６の実施形態の共振器の構造と同一の構造を有する第１の共振器２６-１と、一般的な構造のシングルモード共振器と同一の構造を有する第２の共振器２６-２が相互に結合される構成を有する。すなわち、第１の共振器２６-１の出力側と第２の共振器２６-２の入力側がカップリングウィンドウ２６４０により相互に連結するように構成され、カップリングウィンドウ２６４０にはキャビティの底面から延長するように形成されるカップリング構造物２６４２が追加に設置され得る。
【００９４】
このように、一般的なシングルモード構造の共振器と本発明の実施形態による共振器を結合することも可能であり、図４４に示す例では本発明の上記した実施形態による多様な構造の共振器が一般的な構造の共振器と結合されるように実現できることを理解しなければならない。図４４に、第２４の実施形態の共振器による周波数フィルタリング特性を示す。
【００９５】
上記のように、本発明の一実施形態による多重モード共振器が構成され、上記した本発明の説明ではその具体的な実施形態に関して説明したが、多様な変形が本発明の範囲を逸脱することなく実施できる。
【００９６】
例えば、上記した構造において、共振周波数のチューニング及び各共振モード間のカップリング調整のためにキャビティ内部の複数の位置に複数のチューニング構造物がさらに設置される。このようなチューニング構造物は、図９及び図１０に示すような円柱形状を有し、別の支持物によりキャビティ内に固定するように設置され、従来のフィルタ構造と同様にハウジング(又はカバー）を貫通して設置されるキャビティ内に挿入されるチューニングネジの形態を有することができる。
【００９７】
また、上記した複数の共振アームが４個であることを例に挙げて説明したが、以外により多くの数の共振アームが一つのキャビティ内に設置されるように構成することができる。この場合にも、該当共振アームの数は２の倍数に設計できる。
【００９８】
さらに、上記した実施形態のうち多重モード共振器の構造を２個以上含み、二重に重なるように連結される構造を開示しているが、同一の方式で、本発明の他の実施形態では上記実施形態の構造を２段又は３段以上に多重連結して希望する特性を得るようにフィルタ構造を設計できる。
【００９９】
また、上記の実施形態では、第１乃至第４の共振アームが金属性材質で構成されることについて説明したが、その他にも、本発明の他の実施形態では第１乃至第４の共振アームが誘電体共振素子に類似に誘電体材質で構成できる。
【０１００】
以上、本発明の詳細な説明においては具体的な実施形態に関して説明したが、特許請求の範囲を外れない限り、様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図１】
0006338773.tif 000002
【図２】
0006338773.tif 000003
【図３ａ】
0006338773.tif 000004
【図３ｂ】
0006338773.tif 000005
【図３ｃ】
0006338773.tif 000006
【図３ｄ】
0006338773.tif 000007
【図３ｅ】
0006338773.tif 000008
【図４】
0006338773.tif 000009
【図５】
0006338773.tif 000010
【図６】
0006338773.tif 000011
【図７】
0006338773.tif 000012
【図８】
0006338773.tif 000013
【図９】
0006338773.tif 000014
【図１０】
0006338773.tif 000015
【図１１（ａ）】
0006338773.tif 000016
【図１１（ｂ）】
0006338773.tif 000017
【図１１（ｃ）】
0006338773.tif 000018
【図１２】
0006338773.tif 000019
【図１３（ａ）】
0006338773.tif 000020
【図１３（ｂ）】
0006338773.tif 000021
【図１３（ｃ）】
0006338773.tif 000022
【図１４ａ】
0006338773.tif 000023
【図１４ｂ】
0006338773.tif 000024
【図１４ｃ】
0006338773.tif 000025
【図１４ｄ】
0006338773.tif 000026
【図１４ｅ】
0006338773.tif 000027
【図１５（ａ）】
0006338773.tif 000028
【図１５（ｂ）】
0006338773.tif 000029
【図１５（ｃ）】
0006338773.tif 000030
【図１６ａ】
0006338773.tif 000031
【図１６ｂ】
0006338773.tif 000032
【図１６ｃ】
0006338773.tif 000033
【図１６ｄ】
0006338773.tif 000034
【図１７（ａ）】
0006338773.tif 000035
【図１７（ｂ）】
0006338773.tif 000036
【図１７（ｃ）】
0006338773.tif 000037
【図１８ａ】
0006338773.tif 000038
【図１８ｂ】
0006338773.tif 000039
【図１８ｃ】
0006338773.tif 000040
【図１８ｄ】
0006338773.tif 000041
【図１９（ａ）】
0006338773.tif 000042
【図１９（ｂ）】
0006338773.tif 000043
【図１９（ｃ）】
0006338773.tif 000044
【図２０ａ】
0006338773.tif 000045
【図２０ｂ】
0006338773.tif 000046
【図２０ｃ】
0006338773.tif 000047
【図２０ｄ】
0006338773.tif 000048
【図２１（ａ）】
0006338773.tif 000049
【図２１（ｂ）】
0006338773.tif 000050
【図２１（ｃ）】
0006338773.tif 000051
【図２２】
0006338773.tif 000052
【図２３（ａ）】
0006338773.tif 000053
【図２３（ｂ）】
0006338773.tif 000054
【図２３（ｃ）】
0006338773.tif 000055
【図２４】
0006338773.tif 000056
【図２５（ａ）】
0006338773.tif 000057
【図２５（ｂ）】
0006338773.tif 000058
【図２５（ｃ）】
0006338773.tif 000059
【図２６】
0006338773.tif 000060
【図２７（ａ）】
0006338773.tif 000061
【図２７（ｂ）】
0006338773.tif 000062
【図２７（ｃ）】
0006338773.tif 000063
【図２８】
0006338773.tif 000064
【図２９（ａ）】
0006338773.tif 000065
【図２９（ｂ）】
0006338773.tif 000066
【図２９（ｃ）】
0006338773.tif 000067
【図３０】
0006338773.tif 000068
【図３１（ａ）】
0006338773.tif 000069
【図３１（ｂ）】
0006338773.tif 000070
【図３１（ｃ）】
0006338773.tif 000071
【図３２】
0006338773.tif 000072
【図３３（ａ）】
0006338773.tif 000073
【図３３（ｂ）】
0006338773.tif 000074
【図３３（ｃ）】
0006338773.tif 000075
【図３４ａ】
0006338773.tif 000076
【図３４ｂ】
0006338773.tif 000077
【図３４ｃ】
0006338773.tif 000078
【図３４ｄ】
0006338773.tif 000079
【図３５（ａ）】
0006338773.tif 000080
【図３５（ｂ）】
0006338773.tif 000081
【図３５（ｃ）】
0006338773.tif 000082
【図３６】
0006338773.tif 000083
【図３７（ａ）】
0006338773.tif 000084
【図３７（ｂ）】
0006338773.tif 000085
【図３７（ｃ）】
0006338773.tif 000086
【図３８】
0006338773.tif 000087
【図３９（ａ）】
0006338773.tif 000088
【図３９（ｂ）】
0006338773.tif 000089
【図３９（ｃ）】
0006338773.tif 000090
【図４０】
0006338773.tif 000091
【図４１（ａ）】
0006338773.tif 000092
【図４１（ｂ）】
0006338773.tif 000093
【図４１（ｃ）】
0006338773.tif 000094
【図４２】
0006338773.tif 000095
【図４３（ａ）】
0006338773.tif 000096
【図４３（ｂ）】
0006338773.tif 000097
【図４３（ｃ）】
0006338773.tif 000098
【図４４】
0006338773.tif 000099